(57)【要約】【課題】１０年も経過したキャビネットを再塗装することなく、または新品キャビネットに交換することなく、キャビネットへの雨水侵入を防止し、キャビネットを見栄え良くするキャビネットカバー体を提供すること。【解決手段】６面体の前面に開口部を備えるキャビネット本体６０と、開口部を塞ぐためのカバー扉板１２、１３を有し、内部に電気機器を収納するキャビネット５０を覆うキャビネットカバー体１０において、前面側及び裏面側以外のキャビネット４側面部５１、５２、５３、５４を覆って一体的に連結された側面カバー体１１と、側面カバー体１１の前面の開口部を塞ぐためのカバー扉板１２、１３と、キャビネット本体６０に側面カバー体１１を固定するためのカバー体固定部材２１、２２と、を有する。【選択図】図９
2018073980.tif 000002
【特許請求の範囲】
【請求項１】
６面体の前面に開口部を備えるキャビネット本体と、前記開口部を塞ぐための扉板を有し、内部に電気機器を収納するキャビネットを覆うキャビネットカバー体において、
前記前面側及び裏面側以外のキャビネット４側面部を覆って一体的に連結された側面カバー体と、
前記側面カバー体の前面の開口部を塞ぐためのカバー扉板と、
前記キャビネット本体に前記側面カバー体を固定するためのカバー体固定部材と、
を有することを特徴とするキャビネットカバー体。
【請求項２】
請求項１に記載のキャビネットカバー体において、
前記カバー体固定部材は、前記キャビネットの前面に形成された水切り部に取り付けられること、
を特徴とするキャビネットカバー体。
【請求項３】
請求項１に記載のキャビネットカバー体において、
前記カバー体固定部材は、前記キャビネット本体の４側面のうち、上面板または両側面板に取り付けられること、
を特徴とするキャビネットカバー体。
【請求項４】
請求項１乃至請求項３のいずれか１つに記載のキャビネットカバー体において、
前記キャビネットの裏面が建物の壁面に固定されていること、
前記側面カバー体の前記裏面側端面と、前記建物の壁面との隙間をシール部材で塞ぐこと、
を特徴とするキャビネットカバー体。
【請求項５】
請求項１乃至請求項３のいずれか１つに記載のキャビネットカバー体において、
前記裏面側を塞ぎ、前記側面カバー体と各側面端で連結されるカバー裏面部材を有すること、
を特徴とするキャビネットカバー体。
【発明の詳細な説明】
【技術分野】
【０００１】
本発明は、６面体の前面に開口部を備えるキャビネット本体と、開口部を塞ぐための扉板を有し、内部に電気機器を収納するキャビネットを覆うキャビネットカバー体に関するものである。
【背景技術】
【０００２】
従来、アパート等の建物の壁面等には、各戸毎に電気を供給すると共に、各戸毎の電気使用量を表示するため表示器を備える配電盤キャビネットが設置されている。
一方、アパート等においては、１０年も経過すると不動産としての価値が低下し家賃が低下する傾向が強い。それを防止するために家主は、例えば、１０年毎にアパート壁面や屋根の再塗装等を行っている。
【０００３】
配電盤キャビネットも、１０年も経過すると風雨や直射日光等により塗装の剥離等が生じる場合があり、そこから錆が発生し見栄えが悪くなると共に、雨水が侵入して内部に収納する電気機器に悪影響を与えることが懸念される。
一方、直射日光を遮ることを目的として、特許文献２、３、４に、キャビネットの外部カバーについて記載されている。また、特許文献１には、取付孔を介して雨水等が侵入することを防ぐためのキャビネットの外部カバーが記載されている。
【先行技術文献】
【特許文献】
【０００４】
【特許文献１】特開2014-203939号公報
【特許文献２】特開平10-224049号公報
【特許文献３】特開2000-228596号公報
【特許文献４】特開2015-029026号公報
【発明の概要】
【発明が解決しようとする課題】
【０００５】
しかしながら、従来のキャビネットの外部カバーには、次の問題があった。
（１）特許文献２−４の技術は、直射日光を遮ることを課題としており、カバーの間に隙間があり、雨水の侵入を防止することができない問題があった。
また、特許文献１においては、取付孔部分に対応する部分にのみ外部カバーが取り付けられているため、取付孔を介して侵入する雨水の侵入を防止することができる。しかし、キャビネット設置後１０年以上経過したときには、キャビネットの取付孔以外の箇所においても錆が発生する恐れがある。特に、海岸近くで使用されている場合には、潮風により錆が大きくなりその部分を介して雨水が内部に侵入し、電気機器を損傷する恐れがあった。
（２）特許文献１−４の技術では、キャビネットに外部カバーを取り付けるときに、四方からカバーを取り付ける作業を必要とする。しかし、キャビネットは、複数個が並列して配置されている場合もあり、四方から作業することが困難な場合があり、作業に多大の時間を要する問題があった。
【０００６】
（３）１０年も経過して建物の屋根や壁面を再塗装するときに、キャビネットを再塗装することも考えられるが、現場で錆落とし作業等行うことは時間がかかりコストアップする問題がある。特に、錆落としにより生じる鉄粉がキャビネット内部の電気機器に付着すると問題である。また、内部の電気機器に接続された電線を一度外して再度繋ぐことは、作業工数が多くコストアップとなる。また、アパートでは、時間を決めて停電させることが困難である。
別手段として、キャビネット全部を交換することも考えられるが、電線の繋ぎ直し等の作業は、再塗装と同じ問題があった。
（４）建物の屋根と壁面が再塗装されると、キャビネットの錆等が特に目立つ問題がある。
【０００７】
本発明は、上記問題点を解決するためのものであり、１０年も経過したキャビネットを再塗装することなく、または新品キャビネットに交換することなく、キャビネットへの雨水侵入を防止し、キャビネットを見栄え良くするキャビネットカバー体を提供することを目的とする。
【課題を解決するための手段】
【０００８】
上記課題を解決するために、本発明のキャビネットカバー体は、次の構成を有している。
（１）６面体の前面に開口部を備えるキャビネット本体と、開口部を塞ぐための扉板を有し、内部に電気機器を収納するキャビネットを覆うキャビネットカバー体において、前面側及び裏面側以外のキャビネット４側面部を覆って一体的に連結された側面カバー体と、側面カバー体の前面の開口部を塞ぐためのカバー扉板と、キャビネット本体に側面カバー体を固定するためのカバー体固定部材と、を有することを特徴とする。
【０００９】
（２）（１）に記載のキャビネットカバー体において、前記カバー体固定部材は、前記キャビネットの前面に形成された水切り部に取り付けられること、を特徴とする。
（３）（１）に記載のキャビネットカバー体において、前記カバー体固定部材は、前記キャビネット本体の４側面のうち、上面板または両側面板に取り付けられること、を特徴とする。ここで、カバー体固定部材は、上面板のみに取り付けられても良いし、両側面板のみに取り付けられても良いし、上面板と両側面板の両方に取り付けられても良い。
【００１０】
（４）（１）乃至（３）のいずれ１つに記載のキャビネットカバー体において、前記キャビネットの裏面が建物の壁面に固定されていること、前記側面カバー体の前記裏面側端面と、前記建物の壁面との隙間をシール部材で塞ぐこと、を特徴とする。
（５）（１）乃至（３）のいずれか１つに記載のキャビネットカバー体において、前記裏面側を塞ぎ、前記側面カバー体と各側面端で連結されるカバー裏面部材を有すること、を特徴とする。
【発明の効果】
【００１１】
本発明のキャビネットカバー体は、以下のような作用効果を奏する。
（１）６面体の前面に開口部を備えるキャビネット本体と、開口部を塞ぐための扉板を有し、内部に電気機器を収納するキャビネットを覆うキャビネットカバー体において、前面側及び裏面側以外のキャビネット４側面部を覆って一体的に連結された側面カバー体と、側面カバー体の前面の開口部を塞ぐためのカバー扉板と、キャビネット本体に側面カバー体を固定するためのカバー体固定部材と、を有することを特徴とするので、側面カバー体をカバー体固定部材でキャビネットに固定して、カバー扉板を側面カバー体に取り付けて閉じれば、キャビネットカバー体でキャビネット全体を覆うことができるため、キャビネットに錆が発生していても、キャビネットカバー体が防水するため、キャビネットの錆びている部分に雨水が触れることがなく、キャビネット内への雨水の侵入を防止して、収納されている電気機器を守ることができる。
【００１２】
また、一体化されている側面カバー体を前面方向から挿入できるため、複数個のキャビネットが並列して配置されている場合でも、キャビネットカバー体を容易にキャビネットに取り付けることができる。
また、電線の繋ぎ直し作業がないため、作業性が良い。
また、キャビネットカバー体が、錆の発生したキャビネット全体を覆っているため、再塗装された建物の壁面と同程度の外観を持っており、新築同様の見栄えを実現することができ、不動産としての価値を高めることができ、家賃を維持することができる。
【００１３】
（２）（１）に記載のキャビネットカバー体において、前記カバー体固定部材は、前記キャビネットの前面に形成された水切り部に取り付けられること、を特徴とするので、キャビネットの扉板を外せば、水切り板は前面に位置するため、カバー体固定部材を介して、側面カバー体をキャビネットに対して容易に固定することができる。キャビネットカバー体を取り付けた後は、キャビネットの扉板を使用しないため、水切り板は不要となるので、不要となる水切り板を有効に利用することができる。
【００１４】
（３）（１）に記載のキャビネットカバー体において、前記カバー体固定部材は、前記キャビネットの４側面のうち、上面板または両側面板に取り付けられること、を特徴とするので、キャビネット本体の上面板または両側面板に穴加工等しても、キャビネットカバー体を取り付けた後は、キャビネットの上面または両側面に雨水が触れることがないため、防水上問題はない。
【００１５】
（４）（１）乃至（３）のいずれか１つに記載のキャビネットカバー体において、前記キャビネットの裏面が建物の壁面に固定されていること、前記側面カバー体の前記裏面側端面と、前記建物の壁面との隙間をシール部材で塞ぐこと、を特徴とするので、裏面板が不要であり、キャビネットの前面方向から側面カバー体を挿入して、カバー体固定部材を介して、キャビネットに固定した状態で、側面カバー体の裏面側端面と、建物の壁面との隙間をシール部材で塞ぐだけで、キャビネットカバー体への雨水の侵入を防止することができるため、作業性が良くコストダウンを実現できる。小規模のアパートでは、キャビネットが建物の壁面に設置されている場合が多い。そのような場合作業空間が限られるケースがあるが、狭い作業空間でも効率よく作業を行うことができる。
【００１６】
（５）（１）乃至（３）のいずれか１つに記載のキャビネットカバー体において、前記裏面側を塞ぎ、前記側面カバー体と各側面端で連結されるカバー裏面部材を有すること、を特徴とするので、建物とは独立して設置されたキャビネットに対しても、キャビネットカバー体を容易に取り付けることができる。
【図面の簡単な説明】
【００１７】
【図１】キャビネットカバー体１０の外観斜視図である。
【図２】側面カバー体１１の構造を示す斜視図である。
【図３】側面カバー体１１の背面図である。
【図４】キャビネットカバー体１０が、アパートである建物１００に固定された状態を示す図である。
【図５】既存のキャビネット５０の外観斜視図である。
【図６】キャビネット本体６０を示す図である。
【図７】水切り部６１、６２、６３と、カバー体固定部材２１、２２の位置関係を示す図である。
【図８】カバー体固定部材２１を裏側から見たときの外観斜視図である。
【図９】キャビネット本体６０にキャビネットカバー体１０を取り付ける前の斜視図である。
【図１０】図９のＡ部拡大図である。
【図１１】図９のＢ部拡大図である。
【図１２】水切り部６１にカバー体固定部材２１を取り付けた状態を示す断面図である。
【図１３】キャビネット本体６０に側面カバー体１１を固定した状態を示す図である。
【図１４】側面カバー体７１と、キャビネット本体６０の関係を示す斜視図である。
【図１５】キャビネット本体６０の取付穴と、側面カバー体７１の取付穴７３、ボルト７４、ナット７５を、ワッシャ７６の関係を示す図である。
【図１６】側面カバー体７１をキャビネット本体６０に取り付けた状態を示す図である。
【発明を実施するための形態】
【００１８】
本発明の第１実施形態であるキャビネットカバー体１０について、図面を参照しつつ詳細に説明する。
図１にキャビネットカバー体１０の外観斜視図を示す。図４にキャビネットカバー体１０が、アパートである建物１００に固定されている状態を示す。
図５に、既存のキャビネット５０の外観斜視図を示す。図には、示さないが、キャビネット５０は、図４に示す建物１００の壁面１０１に裏面全面が当接して固定されている。図４では、キャビネット５０は、全体がキャビネットカバー体１０に覆われているため、見えていない。
【００１９】
図２に、側面カバー体１１の構造を斜視図で示す。図３に、側面カバー体１１の正面図を示す。キャビネット５０の天板５１を覆うための天板１１ａ、側板５２を覆うための側板１１ｂ、側板５３を覆うための側板１１ｃ、底板５４を覆うための底板１１ｄが一体的に連結されて側面カバー体１１が形成されている。
天板１１ａの内面には、２個のブラケット１９が固設されている。ブラケット１９は、側面カバー体１１をキャビネットに被せたときに、キャビネット５０の天板５１の上面と当接して、高さの位置決めを行うためのブラケットである。
側板１１ｂ及び側板１１ｃの内面には、カバー体取付ブラケット１５、１６の各々が溶接接合されている。カバー体取付ブラケット１５、１６は、略Ｌ字形状であり、第１面１５ａ、１６ａと、第２面１５ｂ、１６ｂを備えている。第１面１５ａ、１６ａが、側板１１ｃの内壁面、側板１１ｂの内壁面に溶接接合されている。突出している第２面１５ｂ、１６ｂには、各々４カ所の取付穴１５ｃが形成されている。
底板１１ｄには、キャビネット５０から外部に出ている電線を通すための切欠き部１４ｂ、１４ｃが形成されている。また、側板１１ｂには、キャビネット５０から外部に出ている電線を通すための切欠き部１４ａが形成されている。
【００２０】
図５に示すように、既存のキャビネット５０は、天板５１、左右の側板５２、５３、及び底板５４により４側面が形成され、裏面に裏板５８（図６参照。）が連結されている。
天板５１、左右の側板５２、５３、及び底板５４の各々の接続部は、折り曲げ加工された一体物または溶接接合されている。天板５１、左右の側板５２、５３、及び底板５４と、裏板５８との各々の接続部は、折り曲げ加工された一体物または溶接接合されている。キャビネット５０には、開閉可能な３個の扉板５５、５６、５７が開閉可能に保持されている。扉板５５には、内部の電気使用量表示器を見ることのできる６個の窓６８が取り付けられている。キャビネット５０から、３個の扉板５５、５６、５７を取り外したものをキャビネット本体６０と呼ぶ。
このような既設のキャビネット５０に対して、キャビネットカバー体１０を取り付ける工程を、図６から図１４に基づいて説明する。
【００２１】
第１工程では、図５のキャビネット５０から、３枚の扉板５５、５６、５７を取り外す。図６は、図５のキャビネット５０から、３枚の扉板５５、５６、５７を取り外した状態であり、キャビネット本体６０を示す図である。天板５１、左右の側板５２、５３、及び底板５４及び裏板５８により、前面に開口部を備える６面体のキャビネット本体６０が形成されている。
左側の側板７１ｃの開口側端面には、水切り部６１が形成されている。また、右側の側板７１ｂの開口側端面には、水切り部６２が形成されている。
第２工程では、水切り部６１に、カバー体固定部材２１を固定し、水切り部６２、６３にカバー体固定部材２２を固定する。図７に、水切り部６１、６２、６３と、カバー体固定部材２１、２２の位置関係を示す。
【００２２】
図１２は、水切り部６１にカバー体固定部材２１を取り付けた状態を示す断面図である。
水切り部６１は、内向きに屈曲された内延部６１ａ、垂直部６１ｂ、及び外向きに屈曲された外延部６１ｃが連続的に折り曲げられて形成されている。
水切り部６１、６２、６３にカバー体固定部材２１、２２を取り付ける前に、水切り部６１に４カ所の取付穴、水切り部６２に２カ所の取付穴、水切り部６３に２カ所の取付穴を形成する。
カバー体固定部材２１を裏側から見たときの外観斜視図を図８に示す。カバー体固定部材２１は、略コの字形状をしている。第１水平部２１ａ、垂直部２１ｂ、第２水平部２１ｃが連続的に折り曲げられて形成されている。第１水平部２１ａには、長手方向に長い複数の長穴２４が形成されている。第２水平部２１ｃ及び垂直部２１ｂには、切欠き穴２３が複数個形成されている。切欠き穴２３は、工具等を挿入するための穴であり、及び水切り部６１、６２、６３に取り付けられ、扉板５５、５６、５７を開閉可能に保持する蝶番金具（図示せず。）との干渉を避けるための穴である。
【００２３】
第１水平部２１ａの外面が内延部６１ａの外面に当接し、長穴２４、及び水切り部６１、６２、６３の取付穴を介して、８組のボルト８１とナット８２により固定されることにより、カバー体固定部材２１、２２が水切り部６１、６２、６３に固定される。
第２水平部２１ｃは、外延部６１ｃの外側に位置し、外延部６１ｃを覆う位置まで延設されている。
図９に、キャビネット本体６０にキャビネットカバー体１０を取り付ける前の斜視図を示す。図１０に、図９のＡ部拡大図を示し、図１１に、図９のＢ部拡大図を示す。
【００２４】
第３工程では、図９に示すように、側面カバー体１１をカバー体固定部材２１、２２を介して、キャビネット本体６０の水切り部６１、６２、６３に固定する。
図９及び図１１に示すように、カバー体固定部材２１、２２の第２水平部２１ｃ、２２ｃには、各々４カ所に、ボルト２１ｄ、２２ｄのボルト部が外側に突出する状態で溶接接合されている。一方、図９及び図１０に示すように、側面カバー体１１の内面には、カバー体取付ブラケット１５、１６が取り付けられており、カバー体取付ブラケット１５、１６の第２面１５ｂ、１６ｂには、各々４カ所の取付穴１５ｃ、１６ｃが形成されている。
側面カバー体１１を、建物１００の壁面１０１に固定されたキャビネット本体６０の天板５１、側板５２、５３、及び底板５４を覆って建物１００の壁面１０１に取り付ける。このとき、天板１１ａの内面に固定されたブラケット１９をキャビネット本体６０の天板５１に当接させて載置できるため、作業性が良い。
【００２５】
この状態で、図１２に示すように、カバー体固定部材２１、２２の突出している８本のボルト２１ｄ、２２ｄに対して、カバー体取付ブラケットの取付穴１５ｃ、１６ｃを介してナットを締結することにより、キャビネットの水切り部６１、６２、６３に対して、側面カバー体１１を固定することができる。
図１３に、キャビネット本体６０に側面カバー体１１を固定した状態を示す。
この状態で、図４に示すように、側面カバー体１１と建物１００の壁面１０１との間の隙間に、建物用シール部材を塗布・乾燥させることにより、隙間からの雨水の侵入を防止できる。
次に、第４工程では、側面カバー体１１に、カバー扉板１２、１３を取り付ける。カバー扉板１２、１３には、開閉ハンドル１７、１８が固設されており、開閉ハンドル１７、１８を用いてカバー扉板１２、１３を開閉することができる。カバー扉板１２には、６カ所の窓１４が備えられ、内部の電気使用量表示器を外部からカバー扉板１２を開かなくても見ることができる。
【００２６】
以上詳細に説明したように、本実施の形態のキャビネットカバー体１０によれば、（１）６面体の前面に開口部を備えるキャビネット本体６０と、開口部を塞ぐためのカバー扉板１２、１３を有し、内部に電気機器を収納するキャビネット５０を覆うキャビネットカバー体１０において、前面側及び裏面側以外のキャビネット４側面部５１、５２、５３、５４を覆って一体的に連結された側面カバー体１１と、側面カバー体１１の前面の開口部を塞ぐためのカバー扉板１２、１３と、キャビネット本体６０に側面カバー体１１を固定するためのカバー体固定部材２１、２２と、を有することを特徴とするので、側面カバー体１１をカバー体固定部材２１、２２でキャビネット本体６０に固定して、カバー扉板１２、１３を側面カバー体１１に取り付けて閉じれば、キャビネットカバー体１０でキャビネット本体６０全体を覆うことができるため、キャビネット５０に錆が発生していても、キャビネットカバー体１０が防水するため、キャビネット５０の錆びている部分に雨水が触れることがなく、キャビネット５０内への雨水の侵入を防止して、収納されている電気機器を守ることができる。
【００２７】
また、一体化されている側面カバー体１１を前面方向から挿入できるため、複数個のキャビネット５０が並列して配置されている場合でも、キャビネットカバー体１０を容易にキャビネット本体６０に取り付けることができる。
また、キャビネットカバー体１０が、錆の発生したキャビネット５０全体を覆っているため、再塗装された建物の壁面と同程度の外観を持っており、新築同様の見栄えを実現することができ、不動産としての価値を高めることができ、家賃を維持することができる。
【００２８】
（２）（１）に記載のキャビネットカバー体１０において、カバー体固定部材２１、２２は、キャビネット本体６０の前面に形成された水切り部６１、６２に取り付けられること、を特徴とするので、キャビネット５０の扉板５５、５６、５７を外せば、水切り部６１、６２は前面に位置するため、カバー体固定部材２１、２２を介して、側面カバー体１１をキャビネット本体６０に対して容易に固定することができる。キャビネットカバー体１０を取り付けた後は、キャビネット５０の扉板５５、５６、５７を使用しないため、水切り部６１、６２は不要となるので、不要となる水切り部６１、６２を有効に利用することができる。
【００２９】
（３）（１）または（２）に記載のキャビネットカバー体１０において、キャビネット５０の裏面が建物１００の壁面１０１に固定されていること、側面カバー体１１の裏面側端面と、建物１００の壁面１０１との隙間をシール部材１０２で塞ぐこと、を特徴とするので、裏面板が不要であり、キャビネット本体６０の前面方向から側面カバー体１１を挿入して、カバー体固定部材２１、２２を介して、キャビネット本体６０に固定した状態で、側面カバー体１１の裏面側端面と、建物１００の壁面１０１との隙間をシール部材１０２で塞ぐだけで、キャビネットカバー体１０への雨水の侵入を防止することができるため、作業性が良くコストダウンを実現できる。小規模のアパートでは、キャビネット５０が建物の壁面に設置されている場合が多い。そのような場合作業空間が限られるケースがあるが、狭い作業空間でも効率よく作業を行うことができる。
【００３０】
次に、本発明の第２の実施形態に係るキャビネットカバー体について説明する。内容は、概略第１の実施形態と同じなので、相違点のみ詳細に説明し、同じ部分については、説明を割愛する。図１４に、側面カバー体７１と、キャビネット本体６０の関係を斜視図で示す。図１５に、キャビネット本体６０の取付穴と、側面カバー体７１の取付穴７３、ボルト７４、ナット７５、ワッシャ７６の関係を示す。図１６に、側面カバー体７１をキャビネット本体６０に取り付けた状態を示す。
側面カバー体７１の側板７１ｂと側板７１ｃの内面には、８個の補強部材７２が溶接接合されており、補強部材７２により補強された部位に各々２カ所の取付穴７３が形成されている。取付穴７３は、側板７１ｂに８カ所、側板７１ｃに８カ所形成されている。一方、キャビネット本体６０の取付穴７３に対応する側板の位置に取付穴を形成する。これは、現地作業として行う。
次に、側面カバー体７１を、図１４に示す状態から、キャビネット本体６０を覆う図１６の状態に移動する。そして、図１５に示すように、キャビネット本体６０の取付穴と、側面カバー体７１の取付穴７３を通して、ボルト７４、ナット７５を、ワッシャ７６を介して締結する。これら１６本のボルト７４とナット７５により、側面カバー体７１が、キャビネット本体６０に固定される。後は、扉部材を取り付ける。これにより、キャビネットカバー体（図示せず。）が完成する。
また、側面カバー体７１と壁面１０１との隙間にシール部材１０２を塗布・乾燥させる。そして、側面カバー体７１に、カバー扉板１２、１３を取り付けることにより、キャビネットカバー体が完成する。
【００３１】
（４）（１）に記載のキャビネットカバー体において、カバー体固定部材は、キャビネット本体６０の４側面のうち、上面板または両側面板に、取付穴７３として形成されること、を特徴とするので、キャビネット本体６０の上面板または両側面板に穴加工等しても、キャビネットカバー体７０を取り付けた後は、キャビネット本体６０の上面または両側面に雨水が触れることがないため、防水上問題はない。
【００３２】
次に、本発明の第３の実施形態に係るキャビネットカバー体について説明する。内容は、概略第１の実施形態と同じなので、相違点のみ詳細に説明し、同じ部分については、説明を割愛する。
第３の実施形態では、キャビネット５０が、建物１００の壁面１０１ではなく、独立して設置されている場合である。この場合には、側面カバー体１１、７１に対して、裏面板を取り付けることとなる。裏面板は、側板に対してボルトとナットにより締結される。側面カバー体１１、７１をキャビネット本体６０に固定する方法は、第１または第２の実施の形態と同じなので説明を割愛する。
【００３３】
なお、本実施形態は単なる例示にすぎず、本発明を何ら限定するものではない。したがって本発明は当然に、その要旨を逸脱しない範囲内で様々な改良、変形が可能である。
例えば、本実施の形態では、側面カバー体１１を予め完成した状態として説明したが、２分割または４分割された部品を現場で組み立てる方式としても良い。本実施の形態では、扉板が観音開き式の場合について説明したが、扉板が１枚の形式のものでも良い。
【符号の説明】
【００３４】
１０、７０    キャビネットカバー体
１１、７１    側面カバー体
１２、１３    カバー扉板
１５、１６    カバー体取付ブラケット
２１、２２    カバー体固定部材
５０    キャビネット
６０    キャビネット本体
１００  建物
１０１  壁面
１０２  シール部材
【図１】
2018073980.tif 000003
【図２】
2018073980.tif 000004
【図３】
2018073980.tif 000005
【図４】
2018073980.tif 000006
【図５】
2018073980.tif 000007
【図６】
2018073980.tif 000008
【図７】
2018073980.tif 000009
【図８】
2018073980.tif 000010
【図９】
2018073980.tif 000011
【図１０】
2018073980.tif 000012
【図１１】
2018073980.tif 000013
【図１２】
2018073980.tif 000014
【図１３】
2018073980.tif 000015
【図１４】
2018073980.tif 000016
【図１５】
2018073980.tif 000017
【図１６】
2018073980.tif 000018